(57)【要約】      （修正有）【課題】簡単な構造で線材の巻き癖を簡易的に矯正する矯正装置を提供する。【解決手段】矯正装置１は、水平方向を向く回転軸５回りに回転可能であって線材が巻回されているリール部２と、リール部２から横方向に線材を巻き出し可能な高さで、リール部２を支持する装置本体４と、リール部２から水平方向に巻き出された線材を矯正する矯正部３と、を備えており、矯正部３は、線材の巻き出し方向に沿って距離を開けて配備された２枚の起立板２２、２３のうち、リール部２に近い側に配備された起立板２２に穿孔されて、巻き出された線材を挿通する第１挿通孔６と、リール部２から遠い側に配備された起立板２３に穿孔されて、第１挿通孔６を通り抜けた線材を挿通する第２挿通孔７と、を有しており、第２挿通孔７は、第１挿通孔６と同じ高さに形成されると共に、第１挿通孔６よりも小さい開口径に形成されている。【選択図】図１
0003230656.tif 000002
【実用新案登録請求の範囲】
【請求項１】
水平方向を向く回転軸回りに回転可能であって線材が巻回されているリール部と、
前記リール部から横方向に線材を巻き出し可能な高さで、前記リール部を支持する装置本体と、
前記リール部から水平方向に巻き出された線材を矯正する矯正部と、を備えており、
前記矯正部は、
前記線材の巻き出し方向に沿って距離を開けて配備された２枚の起立板と、
前記２枚の起立板のうち、前記リール部に近い側に配備された起立板に穿孔されて、巻き出された線材を挿通する第１挿通孔と、
前記２枚の起立板のうち、前記リール部から遠い側に配備された起立板に穿孔されて、前記第１挿通孔を通り抜けた線材を挿通する第２挿通孔と、を有しており、
前記第２挿通孔は、前記第１挿通孔と同じ高さに形成されると共に、前記第１挿通孔よりも小さい開口径に形成されている
ことを特徴とする矯正装置。
【請求項２】
前記第１挿通孔は、開口径を変えて複数形成されており、
前記第２挿通孔は、複数の第１挿通孔のそれぞれに対応して、同じ高さであって、且つ、前記第１挿通孔よりも小さい開口径に形成されている
ことを特徴とする請求項１に記載の矯正装置。
【請求項３】
前記リール部は、
前記回転軸から径方向に伸びると共に、前記回転軸回りに等角度をあけて配備された複数のスポーク部と、
前記スポーク部における回転軸から遠い側の端部に設けられて、前記線材を引っ掛けてまとめる線材掛部と、を有しており、
前記スポーク部は、前記回転軸から線材掛部までの距離が調整可能とされている
ことを特徴とする請求項１または２に記載の矯正装置。
【請求項４】
水平方向を向く回転軸回りに回転可能であって帯板材が巻回されているリール部と、
前記リール部から横方向に帯板材を巻き出し可能な高さで、前記リール部を支持する装置本体と、
前記リール部から巻き出された帯板材を矯正する矯正部と、を備えており、
前記矯正部は、前記帯板材の巻き出し方向に沿って距離を開けて配備された少なくとも２組の矯正ローラ対を有しており、
前記２組の矯正ローラ対のいずれも、前記リール部から巻き出された帯板材を下方より押さえる下ローラと、前記帯板材を上方より押さえる上ローラと、を有している
ことを特徴とする矯正装置。
【考案の詳細な説明】
【技術分野】
【０００１】
本考案は、コイルなどの状態で巻回された線材や帯板材に発生する巻き癖などを矯正する矯正装置に関するものである。
【背景技術】
【０００２】
従来から、線材を巻き取るコイラーや線材を繰り出すアンコイラーには、円筒形状のドラムが用いられる。このような円筒状のドラムに巻回された線材には、材質や線径などによって程度の違いはあるものの、巻きぐせが発生する。このような巻きぐせをそのままにしておくと、加工などを行う際にトラブルの原因となるため、巻きぐせを取り除く線材矯正装置が開発されている。
【０００３】
例えば、特許文献１には、走行搬送されるリード線を、走行方向と交差する方向の一方側から押圧してこの一方側に変形させる癖付け部２４と、癖付け部によって走行方向と交差する一方側に変形させられたリード線を再び一方側から押圧して癖付け部で生じた変形を除去する癖取り部３１を具備する線材の矯正装置が開示されている。具体的には、上記癖付け部２４は、上記線材を走行方向と交差する一方側から他方側に向かって押圧して押圧方向と逆方向の上記一方側へ変形させる癖付けローラと、この癖付けローラによって上記線材が一方側から押圧されるときにこの一方側と逆方向の他方側で上記線材を保持する保持ローラを有している。また、上記癖付け部２４は、上記線材を走行方向と交差する一方側から他方側に向かって押圧して上記保持ローラを支点として他方側へ変形させ、上記癖付けローラによって上記線材に生じた上記一方側への変形を除去する癖取りローラを有する。
【０００４】
また、特許文献２には、回転軸Ｃを中心として回転する回転体４１に、回転軸Ｃから偏心した位置に孔４１４ａを有する偏心金具４１４を設けるとともに、回転軸Ｃに沿った孔４１０を設けたものである。銅線２０は、偏心金具４１４の孔４１４ａに通すことで回転軸Ｃから偏心した位置に保持され、その回転軸方向の両側では、回転体４１の孔４１０に通されることで当該回転軸Ｃに対応する位置に保持される。整直装置４は、銅線２０にテンションを加えて回転軸方向に搬送する間、回転体４１を回転させる。これにより、ドラムに巻かれていた銅線２０がどの方向に曲がり癖を有する場合であっても、反対方向の曲げを与えて曲がり癖を解消し、整直することができる整直装置が開示されている。
【先行技術文献】
【特許文献】
【０００５】
【特許文献１】特開２０１３−２３７０９６号公報
【特許文献２】特開２０１７−１８９８１３号公報
【考案の概要】
【考案が解決しようとする課題】
【０００６】
ところで、特許文献１や特許文献２の矯正装置は、ローラや回転体を備えた複雑な構成となっており、構造が複雑であるが故に、設備にかかるイニシャルコストや設備を稼働させるランニングコストが高騰しやすい。
本考案は、上述の問題に鑑みてなされたものであり、簡単な構造でありながら、線材や帯板材の巻き癖などを、製造コストの高騰を招くことなく、簡易的に矯正することができる矯正装置を提供することを目的とする。
【課題を解決するための手段】
【０００７】
上記課題を解決するため、本考案の線材の矯正装置は以下の技術的手段を講じている。
即ち、本考案の矯正装置は、水平方向を向く回転軸回りに回転可能であって線材が巻回されているリール部と、前記リール部から横方向に線材を巻き出し可能な高さで、前記リール部を支持する装置本体と、前記リール部から水平方向に巻き出された線材を矯正する矯正部と、を備えており、前記矯正部は、前記線材の巻き出し方向に沿って距離を開けて配備された２枚の起立板と、前記２枚の起立板のうち、前記リール部に近い側に配備された起立板に穿孔されて、巻き出された線材を挿通する第１挿通孔と、前記２枚の起立板のうち、前記リール部から遠い側に配備された起立板に穿孔されて、前記第１挿通孔を通り抜けた線材を挿通する第２挿通孔と、を有しており、前記第２挿通孔は、前記第１挿通孔と同じ高さに形成されると共に、前記第１挿通孔よりも小さい開口径に形成されていることを特徴とする。
【０００８】
なお、好ましくは、前記第１挿通孔は、開口径を変えて複数形成されており、前記第２挿通孔は、複数の第１挿通孔のそれぞれに対応して、同じ高さであって、且つ、前記第１挿通孔よりも小さい開口径に形成されているとよい。
なお、好ましくは、前記リール部は、前記回転軸から径方向に伸びると共に、前記回転軸回りに等角度をあけて配備された複数のスポーク部と、前記スポーク部における回転軸から遠い側の端部に設けられて、前記線材を引っ掛けてまとめる線材掛部と、を有しており、前記スポーク部は、前記回転軸から線材掛部までの距離が調整可能とされているとよい。
【０００９】
また、本考案の矯正装置は、水平方向を向く回転軸回りに回転可能であって帯板材が巻回されているリール部と、前記リール部から横方向に帯板材を巻き出し可能な高さで、前記リール部を支持する装置本体と、前記リール部から巻き出された帯板材を矯正する矯正部と、を備えており、前記矯正部は、前記帯板材の巻き出し方向に沿って距離を開けて配備された少なくとも２組の矯正ローラ対を有しており、前記２組の矯正ローラ対のいずれも、前記リール部から巻き出された帯板材を下方より押さえる下ローラと、前記帯板材を上方より押さえる上ローラと、を有していることを特徴とする。
【考案の効果】
【００１０】
本考案の線材の矯正装置によれば、簡単な構造でありながら、線材の巻き癖などを、製造コストの高騰を招くことなく、簡易的に矯正することができる。
【図面の簡単な説明】
【００１１】
【図１】第１実施形態の矯正装置の斜視図である。
【図２】第１実施形態の矯正装置に設けられるリール部、装置本体、及び矯正部を分解して示した分解図である。
【図３】第１実施形態の矯正装置の正面図及び左側面図である。
【図４】第１実施形態の矯正装置に設けられる矯正部を拡大して示した拡大図である。
【図５】第２実施形態の矯正装置の斜視図である。
【図６】第２実施形態の矯正装置に設けられる矯正部を拡大して示した拡大図である。
【考案を実施するための形態】
【００１２】
［第１実施形態］
以下、本考案の矯正装置１の実施形態を、図面に基づき詳しく説明する。
図１は、第１実施形態の矯正装置１の斜視図を模式的に示したものである。
図１に示すように、第１実施形態の矯正装置１は、金属などの線材Ｗに発生している「よれ」、「ねじれ（螺旋状のねじれ）」、「曲がり」などの巻き癖を矯正して、癖が少ないストレート状の線材を得る装置であり、矯正前の線材Ｗを巻回するリール部２、リール部２から巻き出された線材Ｗの巻き癖を矯正する矯正部３と、リール部２および矯正部３を支持する装置本体４と、を有している。具体的には、リール部２は水平方向を向く回転軸５回りに回転可能とされており、線材Ｗを水平方向に沿って巻き出し可能とされている。また、矯正部３は、リール部２から水平方向に巻き出された線材Ｗを、後述する第１挿通孔６及び第２挿通孔７を挿通することで矯正する部位である。そして、装置本体４は、前後方向に沿って細長いコの字型に形成されており、後部の上側にリール部２が取り付けられており、前部に矯正部３が配備されている。
【００１３】
以降の説明において、図３の左側の図面における左右方向を、矯正装置１を説明する際の前後方向という。また、図３の右側の図面における左右方向を、矯正装置１を説明する際の左右方向という。さらに、図３の左側の図面における上下方向を、矯正装置１を説明する際の上下方向という。これらの方向は矯正装置１から線材Ｗを引き出している作業者
から見た方向と一致する。さらに、これらの方向は適宜図面に矢印を用いて示している。
【００１４】
次に、本実施形態の矯正装置１を構成するリール部２、装置本体４、及び矯正部３について詳しく説明する。
図２及び図３に示すように、リール部２は、左右方向に沿って水平方向に軸心を向けるように配備された回転軸５と、回転軸５に対して回転自在に取り付けられた回転体８と、を有している。
【００１５】
具体的には、上述した回転軸５は、上下方向に沿って起立するように配備されたスタンド部９の右側面に、右方に向かって水平に伸びるように突出するように配備されている。また、回転体８は、上述した回転軸５に対して回転自在に設けられた中央側から、径方向の径外側（外周側）に向かって伸びる三叉形状（三翅プロペラのように中央から外周に向かって３方向に枝を伸ばす形状）に形成されている。上記した回転軸５とスタンド部９は取り外し可能で、第１実施形態時と後述する第２実施形態時とで入れ替えが可能とされている。
【００１６】
さて、リール部２の回転体８には、回転軸５から径方向に伸びる３本のスポーク部１０が設けられている。これら３本のスポーク部１０は、回転軸５回りに等角度をあけて、本実施形態の場合であれば約１２０°の角度をあけて配備されている。そして、スポーク部１０における回転軸５から遠い側の端部には、線材を引っ掛けてまとめる線材掛部１１が設けられている。
【００１７】
より詳しく説明すれば、スポーク部１０は、回転軸５から径外側に向かって伸びるスポーク基端部１０ａと、スポーク基端部１０ａに対して径方向に距離を変更自在に取り付けられたスポーク先端部１０ｂと、を備えている。
スポーク基端部１０ａは、左右方向に対して直交する向きに平板状に形成されると共に、径方向に向かって伸びる長尺の板状に形成されている。スポーク基端部１０ａの表面には、径方向に沿って長尺な長孔状に形成された巻径調整孔１２が形成されている。
【００１８】
スポーク先端部１０ｂは、径方向に長尺な断面がＬ字の型材（山型形鋼）の第１アングル材１３と、第１アングル材１３よりも短尺の断面Ｌ字の型材（山型形鋼）の第２アングル材１４とを、互いに９０°交差するように組み合わせて形成されている。スポーク先端部１０ｂの第１アングル材１３の表面には、巻径調整孔１２に挿通してスポーク先端部１０ｂをスポーク基端部１０ａに固定する位置決めボルト１５が設けられている。この位置決めボルト１５は、第１アングル材１３の表面から右方に向かって突出するように取り付けられており、径方向に距離をあけて２本設けられている。また、スポーク先端部１０ｂの第２アングル材１４は、径外側と右側との２方向に開放する向きに配備された断面がＬ字の型材である。第２アングル材１４の表面には、左右方向に複数（図例の場合であれば６箇所）の巻幅調整孔１６が形成されている。
【００１９】
一方、第２アングル材１４の右側には、第２アングル材１４と同様な短尺の断面Ｌ字の型材（山型形鋼）の第３アングル材１７が設けられている。この第３アングル材１７は、径外側と左側との２方向に開放する向き、言い換えれば第２アングル材１４と左右方向に対称となる向きに配備されている。また、第３アングル材１７の表面には、上述した第２アングル材１４の巻幅調整孔１６に挿通可能な巻幅調整ボルト１８が設けられている。この第３アングル材１７の巻幅調整ボルト１８を、第２アングル材１４に設けられた複数の巻幅調整孔１６のいずれかに挿通することで、上述した第２アングル材１４と第３アングル材１７とは左右方向に沿った距離が変更可能となるように固定される。
【００２０】
つまり、上述した第２アングル材１４と第３アングル材１７とを向かい合わせに組み合わせると、スポーク先端部１０ｂの先端側（スポーク先端部１０ｂにおける回転軸５とは反対側の端部）に径外側に向かって開口するコ字状の線材掛部１１が形成される。
この線材掛部１１は、長孔状の巻幅調整孔１６に対して巻幅調整ボルト１８を係合させることで、左右方向に沿った開口幅、言い換えれば線材Ｗの巻幅を調整可能とされている。また、線材掛部１１は、長孔状の巻径調整孔１２に対して位置決めボルト１５を係合させることで、回転軸５からの径方向に沿った距離、言い換えれば線材Ｗの巻径を調整可能とされており、矯正しようとする線材Ｗの径や長さに応じて巻幅と巻径を適宜変更可能となっている。
【００２１】
装置本体４は、左右方向の寸法よりも前後方向の寸法の方が長い長方形のコの字型に形成されている。装置本体４の前部には、左右方向に距離をあけて２つの第１矯正部取付孔１９が形成されており、装置本体４の上側における左右方向の任意の取り付け位置に後述する矯正部３を配置可能とされている。
また、装置本体４の後部には、上下方向に沿って起立したスタンド部９が設けられている。このスタンド部９の下側にはフランジ状に広がったフランジ部２０が形成されており、フランジ部２０にはスタンド部９を起立した状態に装置本体４の上部にフランジ部２０自体を固定するスタンド固定孔２１が形成されている。それゆえ、フランジ部２０のスタンド固定孔２１にボルトなどを挿通してフランジ部２０を装置本体４の上部に固定すれば、スタンド部９を起立した状態に装置本体４の上部に配備することが可能となり、線材Ｗを前方に向かって水平に巻き出し可能な高さにリール部２を支持することが可能となる。
【００２２】
矯正部３は、リール部２から巻き出された線材Ｗの巻き癖を矯正して、「よれ」、「ねじれ」、「曲がり」などが取り除かれたストレート状の線材Ｗに矯正する部分である。
このような矯正部３は、少なくとも２個以上の矯正体を備えたものを用いることができる。例えば、複数の矯正体のうち、一つの矯正体をある方向から線材Ｗに接触可能に配備し、別の矯正体を線材Ｗに対して別の方向から接触可能に配備する。このように複数の矯正体を配備すれば、一つの線材Ｗにさまざまな方向から矯正が行われ、巻き癖のついた線材Ｗを直線状に矯正することが可能となる。
【００２３】
なお、少なくとも２個以上の矯正体としては、さまざまな構造が考えられる。例えば、挿通孔に線材Ｗを挿通して矯正を行ったり、矯正ロールなどを線材Ｗに接触させて矯正を行ったりすることが考えられる。
以降では、挿通孔を用いた矯正部３を備えた例を第１実施形態に挙げ、また矯正ロールなどを用いた矯正部３を備えた例を第２実施形態に挙げて本発明の矯正装置１を説明する。
【００２４】
第１実施形態の矯正部３は、線材Ｗの巻き出し方向に沿って距離を開けて配備された２枚の起立板と、２枚の起立板のうちリール部２に近い側に配備された起立板（第１起立板２２）に穿孔されて、リール部２から巻き出された線材Ｗを挿通する第１挿通孔６と、２枚の起立板のうちリール部２から遠い側に配備された起立板（第２起立板２３）に穿孔されて、第１挿通孔６を通り抜けた線材Ｗを挿通する第２挿通孔７と、を有している。
【００２５】
図４に拡大して示すように、第１実施形態の矯正部３は、左右方向から見た形状が上方に向かって開口するコ字状に形成されており、上下方向に沿って起立する第１起立板２２及び第２起立板２３と、２つの起立板２２、２３の間を連結する底板２４とで構成されている。この底板２４には、左右方向に長い長孔状の矯正部位費調整孔２５が形成されており、装置本体４の第１矯正部取付孔１９と矯正部位費調整孔２５とを連通するようにボルトで挿通することで、装置本体４の上側における任意の取り付けポジションに矯正部３を位置決め可能となっている。
【００２６】
第１起立板２２及び第２起立板２３は、左右方向に比べて上下方向に長い縦長の四角形に形成された板部材であり、装置本体４の上面に上下方向に沿って起立状に配備されている。具体的には、第１起立板２２は第２起立板２３の後側に、互いに平行となるように配備されている。第１起立板２２の表面には上下方向に沿って第１挿通孔６が形成されており、第２起立板２３の表面にも上下方向に沿って第２挿通孔７が形成されている。
【００２７】
第１挿通孔６は、第１起立板２２の表面に、開口径を変えて、上下に複数孔（図例では３孔）形成されている。これら３つの第１挿通孔６は、上から下に向かうにつれて開口径が順番に大きくなるようになっている。つまり、図例の第１挿通孔６の場合であれば、一番上の第１挿通孔６の開口径が8mm、真ん中の第１挿通孔６の開口径が10mm、一番下の第１挿通孔６の開口径が12mmとなっている。なお、孔径はこの寸法に限定されるものではない。このように第１挿通孔６に開口径が異なる複数の孔を用いれば、矯正する線材Ｗの太さに合わせて最適な開口径を選択可能となり、線材Ｗを補正や矯正することが可能となる。
【００２８】
また、第２挿通孔７は、第１挿通孔６と同様に、第２起立板２３の表面に、開口径を変えて、上下に３孔形成されている。第２挿通孔７は、第１挿通孔６と同じ高さに形成されると共に、第１挿通孔６よりも小さい開口径に形成されている。
つまり、一番上の第２挿通孔７の開口径は4mmとされており、一番上の第１挿通孔６の開口径8mmよりも小径となっている。また、真ん中の第２挿通孔７の開口径は6mmとされており、真ん中の第１挿通孔６の開口径10mmよりも小径となっている。さらに、一番下の第２挿通孔７の開口径は8mmとされており、一番上の第１挿通孔６の開口径12mmよりも小径となっている。なお、孔径はこの寸法に限定されるものではない。
【００２９】
このように第１挿通孔６のそれぞれに対応して、同じ高さであって、且つ、第１挿通孔６よりも小さい開口径の第２挿通孔７を設ければ、第１挿通孔６で矯正された線材Ｗに対してより強い矯正が可能となり、線材Ｗの巻き癖をより除去することが可能となる。
上述した第１実施形態の矯正部３で線材Ｗの巻き癖を矯正する場合には、作業者が線材Ｗを手繰りリール部２から線材Ｗを水平方向に巻き出す。このとき、リール部２は、左右方向に軸心を向けて配備された回転軸５の回りを回転自在となっており、スタンド部９によって横方向に線材Ｗを巻き出し可能な高さに配備されている。
【００３０】
リール部２から水平方向に巻き出された線材Ｗは、矯正部３の第１起立板２２に形成された第１挿通孔６に挿通される。ここで、第１挿通孔６には、矯正しようとする線材Ｗの径に合わせて複数の開口径のものが用意されている。そのため、例えば4mmの外径を有する線材Ｗの矯正を行う場合は、開口径が10mmの第１挿通孔６に線材Ｗを挿通させる。そうすると、開口径が10mmの第１挿通孔６において、たわみ幅が10mmを超えるような大きな巻き癖が矯正される。
【００３１】
次に、第１挿通孔６を通過した線材Ｗは、第２起立板２３の第２挿通孔７に導かれる。ここで、真ん中の第１挿通孔６に対応して同じ高さに形成された真ん中の第２挿通孔７は開口径が6mmとされているため、線材Ｗを支障なく第２挿通孔７に挿通させることができる。そうすると、開口径が6mmの第２挿通孔７において、たわみ幅が6mm〜10mm程度の小さな巻き癖も矯正される。
【００３２】
それゆえ、第１実施形態の線材Ｗの矯正装置１では、簡単な構造でありながら、線材Ｗの巻き癖を、製造コストの高騰を招くことなく、簡易的に引き伸ばし矯正することができる。
［第２実施形態］
図５に示すように、第２実施形態の矯正装置１は、水平方向を向く回転軸５回りに回転可能であって帯板材Ｗが巻回されているリール部２と、リール部２から横方向に帯板材Ｗを巻き出し可能な高さで、リール部２を支持する装置本体４と、リール部２から巻き出された帯板材Ｗを矯正する矯正部３と、を備えている。
【００３３】
なお、第２実施形態の矯正装置１が矯正する帯板材Ｗは、横方向の幅に比べて、縦方向の厚みが薄い帯板状に形成されている。この帯板材Ｗも、本発明の矯正装置１の矯正対象となるものの一つである。
第２実施形態の矯正装置１は、矯正しようとする対象物が丸断面ではなく平たい板状の帯板材Ｗとなっている。そのため、第２実施形態のリール部２は、帯板材Ｗの幅に合わせた間隔で左右方向に平行に配備された２枚の長方形の板材の間に、帯板材Ｗを巻き回す構造とされている。
【００３４】
また、第２実施形態の矯正装置１に設けられる矯正部３は、帯板材Ｗの巻き出し方向に沿って距離を開けて配備された少なくとも２組の矯正ローラ対を有している。２組の矯正ローラ対は、いずれもリール部２から巻き出された帯板材Ｗを下方より押さえる下ローラ２６と、帯板材Ｗを上方より押さえる上ローラ２７と、を有している。
下ローラ２６は、弾性材料を用いて外周側に向かって膨出した凸状のロール面２６ａを備えており、上ローラ２７は、下ローラ２６の凸状のロール面２６ａに対応して、内周側に向かって凹んだ凹状のロール面２７ａを有している。第２実施形態の矯正部３では、このような凸状のロール面２６ａと凹状のロール面２７ａとの間に帯板材Ｗを挟むことで帯板材Ｗの巻き癖を矯正可能となっている。なお、上ローラ２７、下ローラ２６の形状や材
質は適宜変更可能である。
【００３５】
また、これらの上下ローラ２６は、前後方向に距離をあけて２対設けられており、２対の上下ローラ２６はいずれも同じ高さに配備されている。
そのため、帯板材Ｗの搬送方向に沿って、上流側の上下ローラ２６で帯板材Ｗを挟んで矯正し、次に下流側の上下ローラ２６で帯板材Ｗを挟んで矯正すれば、帯板材Ｗの巻き癖がより強く矯正され、簡単な構造でありながら、帯板材Ｗの巻き癖などを、製造コストの高騰を招くことなく、簡易的に矯正することができる。
【００３６】
なお、今回開示された実施形態はすべての点で例示であって制限的なものではないと考えられるべきである。特に、今回開示された実施形態において、明示的に開示されていない事項、例えば、運転条件や操業条件、各種パラメータ、構成物の寸法、重量、体積などは、当業者が通常実施する範囲を逸脱するものではなく、通常の当業者であれば、容易に想定することが可能な値を採用している。
【符号の説明】
【００３７】
１  線材の矯正装置
２  リール部
３  矯正部
４  装置本体
５  回転軸
６  第１挿通孔
７  第２挿通孔
８  回転体
９  スタンド部
１０  スポーク部
１０ａ  スポーク基端部
１０ｂ  スポーク先端部
１１  線材掛部
１２  巻径調整孔
１３  第１アングル材
１４  第２アングル材
１５  位置決めボルト
１６  巻幅調整孔
１７  第３アングル材
１８  巻幅調整ボルト
１９  第１矯正部取付孔
２０  フランジ部
２１  スタンド固定孔
２２  第１起立板
２３  第２起立板
２４  底板
２５  矯正部位費調整孔
２６  下ローラ
２６ａ  下ローラのロール面
２７  上ローラ
２７ａ  上ローラのロール面
Ｗ  線材乃至は帯板材
【図１】
0003230656.tif 000003
【図２】
0003230656.tif 000004
【図３】
0003230656.tif 000005
【図４】
0003230656.tif 000006
【図５】
0003230656.tif 000007
【図６】
0003230656.tif 000008